(57)【要約】【課題】不要電磁輻射に基づくノイズなどＰＷＭ搬送波周波数における放送波への干渉を防止することのできるＤ級増幅装置を提供すること。【解決手段】Ｄ級増幅装置１２０は、搬送波周波数発生回路１２１と、ＰＷＭ信号生成部１２２と、ドライブ回路１２３と、ローパスフィルタ１２４とを備える。Ｄ級増幅装置１２０は、セレクタ１１０によって選択された音信号Ａｓの種別（すなわち、セレクタ１１０によって選択された音信号Ａｓの音源装置の種別）に基づいて、ＰＷＭ変調する際に用いる搬送波信号ＣｓのＰＷＭ搬送波周波数を切り換えて各音信号Ａｓの信号レベルを増幅し、スピーカＳＰに出力する。【選択図】図１
2008154135.tif 000002
【特許請求の範囲】
【請求項１】
所定の周波数帯域に属する放送波を復調することによって得られた入力信号を増幅して出力するＤ級増幅装置であって、
前記所定の周波数帯域の上限周波数より高い搬送周波数を有する搬送波信号を生成する搬送波信号生成手段と、
前記搬送波信号を用いて前記入力信号をパルス幅変調してパルス幅変調信号を生成する変調手段と、
前記パルス幅変調信号を増幅して出力する出力手段と、
を備えるＤ級増幅装置。
【請求項２】
第１の周波数帯域に属する第１の放送波を復調することによって得られる第１の入力信号と、前記第１の周波数帯域よりも高域にある前記第２の周波数帯域に属する第２の放送波を復調することによって得られる第２の入力信号とを含む複数の入力信号の中から一の入力信号を選択する選択手段と、
搬送波信号を生成する搬送波信号生成手段と、
前記搬送波信号を用いて前記入力信号をパルス幅変調してパルス幅変調信号を生成する変調手段と、
前記パルス幅変調信号を増幅して出力する出力手段と、
前記第１の入力信号が選択された場合には、前記搬送波信号の搬送波周波数を前記第１の周波数帯域の上限周波数より高く、かつ、前記第２の周波数帯域の下限周波数より低く設定し、前記第２の入力信号が選択された場合には、前記搬送波信号の搬送波周波数を前記第１の周波数帯域の下限周波数より低く設定する制御手段とを、
備えるＤ級増幅装置。
【請求項３】
前記制御手段は、前記第２の入力信号が選択された場合、前記第１の周波数帯域の下限周波数より低い範囲で、前記搬送波信号の搬送波周波数を所定周期で切り換えて前記搬送波信号のスペクトラムを拡散させる請求項２に記載のＤ級増幅装置。
【請求項４】
前記制御手段は、前記第２の放送波の受信レベルが所定レベル未満の場合に、前記第１の周波数帯域の下限周波数より低い範囲で、前記搬送波信号の搬送波周波数を所定周期で切り換えて前記搬送波信号のスペクトラムを拡散させ、前記第２の放送波の受信レベルが前記所定レベル以上の場合に、前記搬送波信号の搬送波周波数を前記第１の周波数帯域の下限周波数より低い固定周波数に設定する請求項２に記載のＤ級増幅装置。
【発明の詳細な説明】
【技術分野】
【０００１】
本発明は、Ｄ級増幅装置の技術に関する。
【背景技術】
【０００２】
近年、Ａ級増幅回路、Ｂ級増幅回路又はＣ級増幅回路等の各種のオーディオ製品用の増幅装置（以下、単に「増幅回路」ともいう。）が知られており、最近では、当該増幅回路の小型化及び効率化の観点からデジタル増幅装置（以下、「Ｄ級増幅回路」ともいう。）が普及している。
このＤ級増幅回路は、デジタル信号である音信号に対してＰＷＭ（Pulse Width Modulation）変調を施し、当該変調により得られる変調信号を矩形波のまま増幅し、その後ＬＰＦ（Low Pass Filter）を介してスピーカに出力するようになっている。
【０００３】
ところで、このようなＤ級増幅回路においては、ＰＷＭ変調する際に用いる搬送波（以下、ＰＷＭ搬送波と称する）によって不要電磁輻射（ＥＭＩ：Electro Magnetic Interference）が発生し、増幅すべき信号自体にノイズの影響を与えることが知られている。Ｄ級増幅回路を受信チューナーと組み合わせて使用する場合、不要電磁輻射によってＰＷＭ搬送波が受信チューナーのアンテナに入力されると、受信チューナーで復調した信号にノイズが重畳する。
特許文献１には、このような場合に、受信チューナーの同調に応じてＰＷＭ搬送波の周波数（以下、ＰＷＭ搬送波周波数と称する）を切り換えて、放送波に対する影響を低減させる技術が開示されている。さらに、同文献には、ＰＷＭ搬送波をスペクトラム拡散することにより、ＰＷＭ搬送波の成分を広い帯域に拡散させてＰＷＭ搬送波のレベルを低下させ、放送波に対する影響を低減させる点も開示されている。
【特許文献１】特開平６−２９７５７号公報(要約書、段落番号0030)
【発明の開示】
【発明が解決しようとする課題】
【０００４】
しかしながら、ユーザーは受信チューナーを操作して選局するので、受信チューナーにおける同調周波数をＤ級増幅回路で認識する必要がある。したがって、このようなＤ級増幅回路は、当該放送波の搬送周波数を識別するための回路など部品点数が多くなるため、コストが増加し、かつ、小型化にも限界がある。
また、ＰＷＭ搬送波をスペクトラム拡散した場合には、単一周波数の場合と比較してＰＷＭ搬送波のレベルが低下するが、放送波の受信レベルが低い場合には、スペクトラム拡散を行ったとしても、ＰＷＭ搬送波及びその高調波成分が放送波に干渉しノイズが発生する場合も多い。
【０００５】
本発明は、以上の事情に鑑みてなされたものであり、簡易な構成によってＰＷＭ搬送波が放送波に干渉することを防止できるＤ級増幅装置を提供することを目的とする。
【課題を解決するための手段】
【０００６】
以上の課題を解決するために、本発明に係るＤ級増幅装置は、所定の周波数帯域に属する放送波を復調することによって得られた入力信号を増幅して出力するものであって、前記所定の周波数帯域の上限周波数より高い搬送周波数を有する搬送波信号を生成する搬送波信号生成手段と、前記搬送波信号を用いて前記入力信号をパルス幅変調してパルス幅変調信号を生成する変調手段と、前記パルス幅変調信号を増幅して出力する出力手段とを備える。
【０００７】
この発明においては、入力信号は所定の周波数帯域に属する放送波を復調して得られる。したがって、所定の周波数帯域に妨害波が混入すると、入力信号にノイズが重畳することがある。しかしながら、このＤ級増幅装置は、所定の周波数帯域の上限周波数より高い搬送周波数を有する搬送波信号を用いてパルス幅変調を実行する。搬送波信号は搬送周波数成分及びその高調波成分を有するが、これらの周波数は所定の周波数帯域の上限周波数より高いので、搬送波信号が所定の周波数帯域に混入して入力信号にノイズが発生することはない。
また、放送波は周波数の異なる複数の放送局から送信され、所定の周波数帯域には複数の放送波が存在する。搬送波信号と放送波の混信を回避する観点からは、選局された放送波と混信しないように搬送波信号の周波数を設定することも考えられる。この場合には、選局に伴う同調周波数を検出しなければならないため構成が複雑になる。これに対して、本発明は、同調周波数を検出する必要がないので、簡易な構成で入力信号に重畳するノイズを無くすことができる。
【０００８】
また、本発明に係る他のＤ級増幅装置は、第１の周波数帯域（例えば、図３に示すＡＭ放送搬送波周波数帯域）に属する第１の放送波を復調することによって得られる第１の入力信号と、前記第１の周波数帯域よりも高域にある前記第２の周波数帯域（例えば、図３に示すＦＭ放送搬送波周波数帯域）に属する第２の放送波を復調することによって得られる第２の入力信号とを含む複数の入力信号の中から一の入力信号を選択する選択手段と、搬送波信号を生成する搬送波信号生成手段と、前記搬送波信号を用いて前記入力信号をパルス幅変調してパルス幅変調信号を生成する変調手段と、前記パルス幅変調信号を増幅して出力する出力手段と、前記第１の入力信号が選択された場合には、前記搬送波信号の搬送波周波数を前記第１の周波数帯域の上限周波数より高く、かつ、前記第２の周波数帯域の下限周波数より低く設定し、前記第２の入力信号が選択された場合には、前記搬送波信号の搬送波周波数を前記第１の周波数帯域の下限周波数より低く設定する制御手段とを備える。
【０００９】
この発明によれば、複数の入力信号の選択に応じて搬送波信号の搬送波周波数を切り換えることができる。具体的には、第１の入力信号を増幅する場合には、搬送周波数を第１の周波数帯域より高く設定するので、搬送波信号が第１の周波数帯域に混入して第１の入力信号にノイズが重畳することを防止できる。さらに、第２の入力信号は第１の周波数帯域より高域にある第２の周波数帯域に属する第２の放送波を復調して得られるところ、第２の入力信号を増幅する場合には、搬送周波数を第１の周波数帯域の下限周波数より低く設定する。すなわち、搬送波周波数は第２の周波数帯域に対して十分低く設定される。この結果、搬送波信号の高調波成分は第２の周波数帯域において十分低減しているので、第２の入力信号に重畳するノイズを大幅に低減することが可能となる。しかも、放送波の同調周波数を検知する必要がないので、構成を簡易にできる。
【００１０】
上述したＤ級増幅装置において、前記制御手段は、前記第２の入力信号が選択された場合、前記第１の周波数帯域の下限周波数より低い範囲で、前記搬送波信号の搬送波周波数を所定周期で切り換えて前記搬送波信号のスペクトラムを拡散させることが好ましい。この場合には、搬送波信号がスペクトラム拡散されるので、その高調波周波数の各レベルを低減させることができる。この結果、第２の入力信号に重畳するノイズをより一層低減することができる。
【００１１】
上述したＤ級増幅装置において、前記制御手段は、前記第２の放送波の受信レベルが所定レベル未満の場合に、前記第１の周波数帯域の下限周波数より低い範囲で、前記搬送波信号の搬送波周波数を所定周期で切り換えて前記搬送波信号のスペクトラムを拡散させ、前記第２の放送波の受信レベルが前記所定レベル以上の場合に、前記搬送波信号の搬送波周波数を前記第１の周波数帯域の下限周波数より低い固定周波数に設定することが好ましい。この場合には、第２の放送波の受信レベルに応じて搬送波周波数を固定周波数とするかスペクトラム拡散するかを選択することができる。したがって、第２の入力信号に重畳するノイズが無視できるほど小さい場合には搬送波周波数を固定周波数とし、受信レベルが小さくてよりノイズが大きくなる場合には、搬送波周波数をスペクトラム拡散して第２の入力信号に重畳するノイズを低減することができる。スペクトラム拡散を行う場合には、複数の周波数を有する各信号を生成し、これを切り換える必要があるため、消費電力が増加するが、この発明によれば、必要に応じてスペクトラム拡散を選択するので消費電力を削減しつつ、第２の入力信号に重畳するノイズを低減することができる。
【発明を実施するための最良の形態】
【００１２】
次に、本願に好適な実施の形態について、図面に基づいて説明する。なお、以下に説明する実施形態は、各種のチューナや再生機器などの複数の音源（ソース）の入力を切り換えて入力されたデジタル信号の音信号に対してＤ級増幅装置を用いて増幅を行うＤ級アンプシステムに対して本願の発明を適用した場合の実施の形態である。
＜１．実施形態＞
図１は、本発明の一実施形態に係るＤ級アンプシステム１００の概要構成を示すブロック図である。図１に示すように、Ｄ級アンプシステム１００は、セレクタ１１０と、セレクタ１１０から供給された信号を増幅して出力するＤ級増幅装置１２０と、セレクタ１１０及びＤ級増幅装置１２０を制御するシステム制御部１３０と、を備える。
【００１３】
セレクタ１１０には、ＣＤプレーヤ１０、ＭＰ３プレーヤ２０、ワンセグメントＴＶチューナ３０及びＦＭ／ＡＭチューナ４０の各種の入力信号源が接続される。各入力信号源は、増幅の対象となるデジタル信号である音信号Ａｓを生成し、セレクタ１１０に出力する。セレクタ１１０は、システム制御部１３０の制御の下、上記各入力信号源から入力された音信号Ａｓのいずれかを選択してＤ級増幅装置１２０に出力する。また、システム制御部１３０には入力部（図示略）が接続されており、ユーザーが入力部を操作して入力信号源を選択すると、入力部はユーザーの操作に応じた操作信号をシステム制御部１３０に出力するようになっている。システム制御部１３０は、操作信号に基づいて、どの入力信号源が選択されたかを示す制御信号Ｘｓを生成し、セレクタ１１０及びＤ級増幅装置１２０に出力する。セレクタ１１０は、制御信号Ｘｓに基づいて、上記各入力信号源から入力された音信号Ａｓのいずれかを選択してＤ級増幅装置１２０に出力する。
【００１４】
Ｄ級増幅装置１２０は、搬送周波数発生回路１２１と、ＰＷＭ信号生成部１２２と、ドライブ回路１２３と、ローパスフィルタ１２４とを備える。搬送周波数発生回路１２１は、制御信号Ｘｓに基づいて、すなわち、セレクタ１１０によって選択された音信号Ａｓの種別（セレクタ１１０によって選択された音信号Ａｓの入力信号源の種別）に応じて、ＰＷＭ変調する際に用いる搬送波信号ＣｓのＰＷＭ搬送波周波数を切り換える。ＰＷＭ信号生成部１２２は搬送周波数発生回路１２１から供給された搬送波信号Ｃｓを用いて音信号Ａｓに対してパルス幅変調を施し、ＰＷＭ信号Ｐｓを生成する。ＰＷＭ信号Ｐｓは、ドライブ回路１２３及びローパスフィルタ１２４を介してスピーカＳＰに出力される。Ｄ級増幅装置１２０は、このようにして音信号Ａｓの信号レベルを増幅する。
【００１５】
具体的には、本実施形態のＤ級増幅装置１２０は、ＡＭ変調方式にて変調された放送波（以下、「ＡＭ放送波」という）を復調して得られた音信号（以下、「ＡＭ放送波音信号」という）Ａｓを増幅する場合と、ＦＭ変調方式にて変調された放送波（以下、「ＦＭ放送波」という）及びＴＶ直交周波数分割多重方式(ＯＦＤＷ：orthogonal frequency division multiplex)にてデジタル変調された放送波（以下、「デジタルテレビジョン放送波」という）を復調して得られた音信号（以下、「ＦＭ放送波等音信号」という）Ａｓを増幅する場合と、ＣＤプレーヤ１０やＭＰ３プレーヤ２０などのこれら以外の音源装置から出力された音信号Ａｓを増幅する場合と、において、各音信号ＡｓをＰＷＭ変調する際に用いる搬送波信号ＣｓのＰＷＭ搬送波周波数を変えて、それぞれの音信号Ａｓを増幅する。
【００１６】
図２にＤ級増幅装置１２０の搬送周波数発生回路１２１の構成を示す。搬送周波数発生回路１２１は、周波数発生器１２５、分周回路１２６、選択回路１２７、及び周波数制御回路１２８を備え、システム制御部１３０の制御の下、入力された音信号Ａｓの種別に応じてＰＷＭ搬送波周波数を切り換える。周波数発生器１２５はクロック信号ＣＫ１を発生し、分周回路１２５はクロック信号ＣＫ１を分周した複数の分周信号ＣＫ２〜ＣＫ５を生成する。選択回路１２７は、クロック信号ＣＫ１及び複数の分周信号ＣＫ２〜ＣＫ５の中から一つを選択して、搬送波信号Ｃｓを生成する。周波数制御回路１２８は、入力信号源の種別を示す制御信号Ｘｓに基づいて、選択回路１２７における信号の選択を指示する周波数制御信号Ｘｆを生成する。
【００１７】
この例において、クロック信号ＣＫ１の周波数は２ＭＨｚであり、分周信号ＣＫ２〜ＣＫ５の周波数は、２００ＫＨｚ、３００ＫＨｚ、４００ＫＨｚ、及び５００ＫＨｚである。周波数制御回路１２８は、制御信号ＸｓがＡＭ／ＦＭチューナ４０を介して入力された信号Ａｓのうち、ＡＭ放送波音信号Ａｓの選択を指示する場合には、クロック信号ＣＫ１を選択する周波数制御信号Ｘｆを選択回路１２７に出力する。この場合、選択回路１２７はクロック信号ＣＫ１を選択して搬送波信号Ｃｓとして出力する。
【００１８】
また、周波数制御回路１２８は、制御信号ＸｓがワンセグメントＴＶチューナ３０から入力された信号Ａｓ又はＡＭ／ＦＭチューナ４０を介して入力された信号ＡｓのうちＦＭ放送波等音信号Ａｓの選択を指示する場合には、２００ＫＨｚの周波数を有する分周信号ＣＫ２を選択する周波数制御信号Ｘｆを選択回路１２７に出力する。この場合、選択回路１２７は分周信号ＣＫ２を選択して搬送波信号Ｃｓとして出力する。
【００１９】
さらに、周波数制御回路１２８は、制御信号Ｘｓがその他の入力信号源（ＣＤプレーヤ１０及びＭＰ３プレーヤ２０）を指示する場合には、クロック信号ＣＫ１を選択する周波数制御信号Ｘｆを選択回路１２７に出力する。すると、選択回路１２７はクロック信号ＣＫ１を選択して搬送波信号Ｃｓとして出力する。なお、この場合に周波数制御回路１２８は、分周信号ＣＫ２〜ＣＫ５を所定周期で順次選択する周波数制御信号Ｘｆを選択回路１２７に出力してもよい。この場合には、ＰＷＭ搬送波周波数が、２００ＫＨｚ、３００ＫＨｚ、４００ＫＨｚ、及び５００ＫＨｚの間で順次切り替わるので、搬送波信号Ｃｓのスペクトラムを拡散させることができる。すなわち、周波数発生器１２５、分周回路１２６及び選択回路１２７はスペクトラム拡散した搬送波信号Ｃｓを生成するスペクトラム拡散回路として機能する。
【００２０】
図３に、各放送波の搬送波周波数帯域と搬送波信号の周波数との関係を示す。通常、ＡＭ放送波が属する搬送波の周波数帯域（以下、「ＡＭ放送搬送波周波数帯域」という。）は、図３（ａ）に示すように、５４０ｋＨｚから１７００ｋＨｚ程度である。仮に、ＡＭ放送搬送波周波数帯域より低域の周波数である２００ＫＨｚをＰＷＭ搬送波周波数として用いると、その３倍の高調波成分が６００ＫＨｚとなるからＡＭ放送搬送波周波数帯域に入ってしまう。一方、ＡＭ放送搬送波周波数帯域より十分に高域にある２ＭＨｚのＰＷＭ搬送波周波数を用いれば、当該ＰＷＭ搬送波周波数及びその高調波成分とＡＭ放送搬送波周波数帯域とが重複することはない。そこで、選択回路１２７は、ＡＭ放送波音信号Ａｓを増幅する場合には、周波数発生器１２５で生成される２ＭＨｚのクロック信号ＣＫ１を搬送波信号ＣｓとしてＰＷＭ信号生成部１２２に出力する構成としている。この構成によれば、例えば、２ＭＨｚのＰＷＭ搬送波周波数を発生させた場合に、当該ＰＷＭ搬送波周波数の高調波成分は、４ＭＨｚ、６ＭＨｚ又は８ＭＨｚとなり、ＡＭ放送搬送波周波数帯域と全く重複することはないので、ＦＭ／ＡＭチューナ４０にて受信されるＡＭ放送波に対して搬送波信号Ｃｓが影響を与えることはない。
【００２１】
これに対し、通常、ＦＭ放送波が属する搬送波の周波数帯域（以下、「ＦＭ放送搬送波周波数帯域」という。）及びデジタルテレビジョン放送波が属する搬送波の周波数帯域（以下、「ＴＶ放送搬送波周波数帯域」）は、図３（ｂ）に示すように、７６ＭＨｚから１０８ＭＨｚ又は数百ＭＨｚ程度である。これらの放送波を復調して得られた音信号Ａｓに対してＰＷＭ変調を行う場合に、仮に、２ＭＨｚのＰＷＭ搬送波周波数を用いると、３９倍以上の高調波成分が、ＦＭ放送搬送波周波数帯域又はＴＶ放送搬送波周波数帯域と重複する。一方、ＰＷＭ搬送波周波数をＴＶ放送搬送波周波数帯域より高域に設定すると、数百ＭＨｚ以上の周波数で搬送周波数発生回路１２１を動作させる必要がある。一般に、そのような高周波数信号を取り扱う回路は、ノイズ対策や出力信号が入力に飛び込むことによる発振現象を防止する対策などが必要となることが多く、コストの上昇を招くことが多い。
【００２２】
そこで、本実施形態では、２ＭＨｚのクロック信号ＣＫ１を分周回路１２６で１/１００に分周した２００ＫＨｚの分周信号ＣＫ２を搬送波信号ＣｓとしてＰＷＭ信号生成部１２２に出力する。この場合には、ＦＭ放送搬送波周波数帯域の下限である７６ＭＨｚは２００ＫＨｚの３８０倍に相当するから、搬送波信号Ｃｓの３８０次の高調波がＦＭ放送搬送波周波数帯域と重なる。一般に、高調波成分のレベルは次数が高くなるほど小さくなるので、ＰＷＭ搬送波周波数を２ＭＨｚから２００ＫＨｚに変更することにより、ＦＭ放送波やＴＶ放送波に対して搬送波信号Ｃｓが与える影響を大幅に低減することができる。
【００２３】
次に、図１に示すＰＷＭ信号生成部１２２は、例えば、コンパレータやデコーダ及びパラレル／シリアル変換回路を有するデジタル回路などによって構成される。このＰＷＭ信号生成部１２２は、搬送波周波数発生回路１２１から出力された搬送波信号Ｃｓに基づいて音信号Ａｓを２値化されたＰＷＭ信号Ｐｓに変調するＰＷＭ変調を実行する。そして、このＰＷＭ信号生成部１２２は、ＰＷＭ変調された信号をＰＷＭ信号Ｐｓとしてドライブ回路１２３に出力する。ドライブ回路１２３は、入力されたＰＷＭ信号Ｐｓを所定のレベルに増幅し、当該増幅されたＰＷＭ信号Ｐｓをローパスフィルタ１２４に出力する。ローパスフィルタ１２４は、入力されたＰＷＭ信号Ｐｓに対して高域遮断処理（ローパスフィルタ処理）を実行し、スピーカＳＰを駆動するための駆動信号Ｄｓを生成してスピーカＳＰに出力する。スピーカＳＰは、ローパスフィルタ１２４から出力された駆動信号Ｄｓが入力されると、当該入力された駆動信号Ｄｓに基づいて放音する。
【００２４】
システム制御部１３０は、制御信号Ｘｓを用いてセレクタ１１０と搬送波周波数発生回路１２１とを連動させ、上述のように、入力される音信号Ａｓの種別に対応させたＰＷＭ搬送波周波数を有する搬送波信号ＣｓをＰＷＭ信号生成部１２２に対して出力させる。
また、本実施形態のシステム制御部１３０は、ＦＭ／ＡＭチューナ４０から出力された音信号Ａｓを増幅する場合には、当該ＦＭ／ＡＭチューナ４０から取得した検出信号Ｔｓに基づいて、当該ＦＭ／ＡＭチューナ４０がＡＭ放送波を受信しているかＦＭ放送波を受信しているか否かを検出し、検出した結果に基づいて、上述のように、搬送波周波数発生回路１２１を制御する。
【００２５】
以上説明したように、本実施形態のＤ級アンプシステム１００は、入力信号源に応じて、搬送波信号ＣｓのＰＷＭ搬送波周波数を切り換えるので、音信号Ａｓの復調前における放送波を構成する周波数帯域と搬送波信号Ｃｓの周波数成分とが重ならないようにできるので、不要電磁輻射に基づくノイズなど搬送波信号Ｃｓに基づく放送波への干渉を防止することができる。しかも、ワンセグメントＴＶチューナ３０やＦＭ／ＡＭチューナ４０の同調周波数を検知しなくてもよいので、構成を簡易にすることができる。
【００２６】
＜２．変形例＞
（１）上述のＤ級アンプシステム１００は、ＦＭ放送波等音信号Ａｓを増幅する場合に、周波数発生器１２５にて発生させた周波数を分周して搬送波周波数信号を生成するようになっているが、当該周波数発生器１２５にて発生させた周波数を分周して又は新たに周波数を発生させてＦＭ放送波等音信号Ａｓを増幅する際に用いるＰＷＭ搬送波周波数をスペクトラム拡散して、例えば、２００ｋＨｚ、３００ｋＨｚ、４００ｋＨｚ及び５００ｋＨｚの複数のＰＷＭ搬送波周波数を発生させ、当該発生させた複数のＰＷＭ搬送波周波数を用いて、ＰＷＭ変調を行うようにしてもよい。
この場合に、本実施形態のＤ級アンプシステム１００は、テレビジョン放送波又はＦＭ放送波のワンセグメントＴＶチューナ３０又はＦＭ／ＡＭチューナ４０における受信レベルが小さい場合であっても、ＰＷＭ変調に用いるＰＷＭ搬送波周波数における高調波成分のレベルを的確に低減させることができる。
【００２７】
（２）上述のＤ級アンプシステム１００は、上記に加えてワンセグメントＴＶチューナ３０及びＦＭ／ＡＭチューナ４０における各放送波の受信レベルを検出するための検出部を設け、当該検出された受信レベルに基づいて、ＰＷＭ搬送波周波数を固定にするか又はスペクトラム拡散するかを切り換えてもよい。
より具体的には、ＦＭ放送搬送波周波数帯域に属する放送波の受信レベルが所定レベル未満の場合に、ＡＭ放送搬送波周波数帯の下限周波数（５４０ＫＨｚ）より低い範囲で、ＰＷＭ搬送波周波数を所定周期で切り換えて搬送波信号Ｃｓのスペクトラムを拡散させ、当該放送波の受信レベルが所定レベル以上の場合に、ＡＭ放送搬送波周波数帯の下限周波数より低い固定周波数（例えば、２００ＫＨｚ）に設定することが好ましい。この場合には、ＦＭ放送波の受信レベルに応じて搬送波周波数を固定周波数とするかスペクトラム拡散するかを選択することができる。したがって、ＦＭ放送波音信号Ａｓに重畳するノイズが無視できるほど小さい場合にはＰＷＭ搬送波周波数を固定周波数とし、受信レベルが小さくてよりノイズが大きくなる場合には、ＰＷＭ搬送波周波数をスペクトラム拡散してＦＭ放送波音信号Ａｓに重畳するノイズを低減することができる。スペクトラム拡散を行う場合には、複数の周波数を有する各信号を生成し、これを切り換える必要があるため、消費電力が増加するが、この場合には、必要に応じてスペクトラム拡散を選択するので消費電力を削減しつつ、ＦＭ放送波音信号Ａｓに重畳するノイズを低減することができる。なお、固定周波数を選択する場合には、分周回路１２６の動作を停止させることが好ましい。
【００２８】
（３）上述のＤ級アンプシステム１００は、各音源装置から出力されたデジタル信号である音信号Ａｓに基づいてその信号レベルを増幅するようになっているが、勿論、アナログ信号の音信号に対してその信号レベルを増幅するようにしてもよい。
この場合には、上述のＤ級増幅装置１２０は、セレクタ１１０から出力された音信号Ａｓに対してアナログ信号からデジタル信号に変換するためのアナログ／デジタル変換を行い、当該変換処理された音信号ＡｓをＰＷＭ信号生成部１２２に出力する。
【図面の簡単な説明】
【００２９】
【図１】本発明の一実施形態に係るＤ級増幅装置の概要構成を示すブロック図である。
【図２】同装置に用いる搬送周波数発生回路の詳細な構成を示すブロック図である。
【図３】各放送波の搬送波周波数帯域と搬送波信号の周波数との関係を説明するための図である。
【符号の説明】
【００３０】
１０……ＣＤプレーヤ、２０……ＭＰ３プレーヤ、３０……ワンセグメントＴＶチューナ、４０……ＦＭ／ＡＭチューナ、１００……Ｄ級アンプシステム、１１０……セレクタ、１２０……Ｄ級増幅装置、１２１……搬送波周波数発生回路、１２２……ＰＷＭ信号生成部、１２３……ドライブ回路、１２４……ローパスフィルタ、１２５……周波数発生器、１２６……分周回路、１２７……選択回路、１２８……周波数制御回路、１３０……システム制御部。
【図１】
2008154135.tif 000003
【図２】
2008154135.tif 000004
【図３】
2008154135.tif 000005